(57)【特許請求の範囲】
【請求項１】
炉床の上方に被処理物の搬送方向に沿った固定ビームが被処理物の搬送方向と交差する方向に所要間隔を介して複数設けられると共に、被処理物の搬送方向に沿って上記の炉床を貫通する搬送案内溝が被処理物の搬送方向と交差する方向に所要間隔を介して複数設けられ、上記の炉床の下において上記の搬送案内溝に沿って被処理物の搬送方向に走行するカートに、上記の搬送案内溝を通して上方に突出されて昇降する昇降保持部が設けられると共に、この昇降保持部を冷却させる冷却手段が設けられてなる炉内搬送装置であって、カートに設けられた上記の昇降保持部を上昇させて、上記の固定ビームに保持された被処理物をこの昇降保持部に保持させると共に、上記のカートを走行させて昇降保持部に保持された被処理物を固定ビームの所定位置まで搬送させることを特徴とする炉内搬送装置。
【請求項２】
炉床の上方に被処理物の搬送方向に沿った固定ビームが被処理物の搬送方向と交差する方向に所要間隔を介して複数設けられると共に、上記の炉床を貫通するようにして被処理物の搬送方向に沿って加熱炉の搬入口から搬出口まで伸びた搬送案内溝が被処理物の搬送方向と交差する方向に所要間隔を介して複数設けられ、上記の炉床の下において上記の搬送案内溝に沿って被処理物の搬送方向に走行するカートに、上記の搬送案内溝を通して上方に突出されて昇降する昇降保持部が設けられてなる炉内搬送装置であって、カートに設けられた上記の昇降保持部を上昇させて、上記の固定ビームに保持された被処理物をこの昇降保持部に保持させると共に、上記のカートを走行させて昇降保持部に保持された被処理物を固定ビームの所定位置まで順々に搬送させて、上記のカートにより被処理物を加熱炉の搬入口から搬出口まで搬送させることを特徴とする炉内搬送装置。
【請求項３】
請求項２に記載の炉内搬送装置において、被処理物を保持する上記の昇降保持部を冷却させる冷却手段が設けられていることを特徴とする炉内搬送装置。
【請求項４】
請求項１〜請求項３の何れか１項に記載の炉内搬送装置において、上記のカートが各搬送案内溝に対応して被処理物の搬送方向と交差する方向に複数設けられていることを特徴とする炉内搬送装置。
【請求項５】
請求項１〜請求項４の何れか１項に記載の炉内搬送装置において、上記のカートが被処理物の搬送方向に所要間隔を介して複数設けられていることを特徴とする炉内搬送装置。
【請求項６】
請求項１〜請求項５の何れか１項に記載の炉内搬送装置が設けられていることを特徴とする加熱炉。
【請求項７】
請求項６に記載の加熱炉において、被処理物を加熱炉内に搬入させる加熱炉の搬入部側に上記の搬送案内溝と対応するようにして搬入側壁面案内溝を設け、この搬入側壁面案内溝を通して、上記のカートを搬入部側における加熱炉の外部に導くことを特徴とする加熱炉。
【請求項８】
請求項７に記載の加熱炉において、被処理物を加熱炉内に搬入させる搬入部に上記の搬送案内溝及び搬入側壁面案内溝と対応するようにして搬入用案内溝を設け、この搬入用案内溝を通してカートに設けられた上記の昇降保持部を上昇させて、搬入部における被処理物をこの昇降保持部に保持させ、この搬入用案内溝及び搬入側壁面案内溝を通して上記の昇降保持部に保持された被処理物を加熱炉内に搬入させることを特徴とする加熱炉。
【請求項９】
請求項６〜請求項８の何れか１項に記載の加熱炉において、被処理物を加熱炉外に搬出させる加熱炉の搬出部側に上記の搬送案内溝と対応するようにして搬出側壁面案内溝を設け、この搬出側壁面案内溝を通して、上記のカートを搬出部側における加熱炉の外部に導くことを特徴とする加熱炉。
【請求項１０】
請求項９に記載の加熱炉において、被処理物を加熱炉外に搬出させる搬出部に上記の搬送案内溝及び搬出側壁面案内溝と対応するようにして搬出用案内溝を設け、カートにおける昇降保持部に保持された被処理物を、上記の搬出側壁面案内溝及びこの搬出用案内溝を通して加熱炉外に搬出させることを特徴とする加熱炉。
【発明の詳細な説明】
【技術分野】
【０００１】
本発明は、炉内において被処理物を搬送させる炉内搬送装置及びこのような炉内搬送装置を備えた加熱炉に関するものである。特に、炉内搬送装置により炉内において被処理物を搬送させるにあたり、被処理物をその搬送方向に沿って炉床の上方に設けられた固定ビームの上を順々に移動させて搬送させるにあたり、被処理物の搬送方向に沿って設けられた移動フレームを上下方向及び送り方向に往復移動させてウォーキング動作させ、この移動フレームにより被処理物を固定ビームの上を順々に移動させて搬送させる従来のウォーキングビーム式の炉内搬送装置に比べて、その設備が非常に簡単で、全体としてのコストを大幅に低減できると共に、メンテナンス等も容易に行えるようにした点に特徴を有するものである。
【背景技術】
【０００２】
従来から、加熱炉等においては、鋼片、鋼板等の被処理物を炉内において順々に搬送させて連続的に処理することが行われており、このように被処理物を炉内において順々に搬送させる炉内搬送装置としては、ウォーキングビーム式のものが広く利用されている。
【０００３】
ここで、ウォーキングビーム式の炉内搬送装置においては、一般に、特許文献１〜４等に示されるように、炉内に設けられた炉床の上に支持部材を介して被処理物の搬送方向に沿った固定ビームを被処理物の搬送方向と交差する方向に所要間隔を介して複数設けると共に、上記の炉床の下方に設けられた移動フレームから炉床に設けられた貫通部を通して炉床の上方に突出された支持部材に、被処理物の搬送方向に沿って炉の略全長に伸びた移動ビームを保持させるようにして、複数の移動ビームを被処理物の搬送方向と交差する方向に所要間隔を介して設けるようにしている。
【０００４】
そして、上記のウォーキングビーム式の炉内搬送装置においては、移動フレームをウォーキングビーム駆動手段に支持させ、このウォーキングビーム駆動手段により上記の移動フレームを駆動させて、移動フレームに設けられた各移動ビームを上下方向及び送り方向に往復移動させてウォーキング動作（矩形運動）させ、被処理物を各移動ビームにより固定ビームの上を順々に移動させて、被処理物を炉内において順々に移動させるようになっている。
【０００５】
ここで、上記のようにウォーキングビーム駆動手段によって移動フレームに設けられた各移動ビームをウォーキング動作させる場合、このウォーキングビーム駆動手段が大型化すると共に、加熱炉等における炉床の下に上記のような移動フレームやウォーキングビーム駆動手段を設けるためには、炉床の下の掘り込み深さを大きくすることが必要になり、このような設備に多大なコストが必要になると共に、ウォーキングビーム駆動手段を駆動させるのに大きな動力が必要となり、ランニングコストも高くつくという問題があった。
【０００６】
また、被処理物を加熱させる加熱炉に上記のようなウォーキングビーム式の炉内搬送装置を設けた場合、上記の各移動ビームが過剰に加熱されて変形したり、損傷したりするのを防止するため、各移動ビームを水冷させるようにしている。
【０００７】
しかし、ウォーキングビーム式の炉内搬送装置においては、上記のように各移動ビームを被処理物の搬送方向に沿って炉の略全長に伸びるように設けているため、このように炉の略全長に伸びた各移動ビーム全体を水冷させるのに、大きな水冷設備が必要になると共に、水冷ロスも大きくなる等の問題があった。
【先行技術文献】
【特許文献】
【０００８】
【特許文献１】特開昭６３−５０４１３号公報
【特許文献２】特開平８−１９９２２７号公報
【特許文献３】特開平１０−１８３２３５号公報
【特許文献４】特開２０００−３３５７２３号公報
【発明の開示】
【発明が解決しようとする課題】
【０００９】
本発明は、炉内において被処理物を搬送させる炉内搬送装置及びこのような炉内搬送装置を備えた加熱炉において、ウォーキングビーム式の炉内搬送装置を用いた場合における上記のような様々な問題を解決することを課題とするものである。
【００１０】
すなわち、本発明においては、加熱炉等の炉内において、炉内搬送装置により被処理物を炉床の上方に設けられた固定ビームの上を順々に移動させて搬送させるにあたり、上記のようなウォーキングビーム式の炉内搬送装置に比べて、その設備が非常に簡単になり、全体としてのコストを大幅に低減できると共に、メンテナンス等も容易に行えるようにすることを課題とするものである。
【課題を解決するための手段】
【００１１】
本発明に係る第１の炉内搬送装置においては、上記のような課題を解決するため、炉床の上方に被処理物の搬送方向に沿った固定ビームが被処理物の搬送方向と交差する方向に所要間隔を介して複数設けられると共に、被処理物の搬送方向に沿って上記の炉床を貫通する搬送案内溝が被処理物の搬送方向と交差する方向に所要間隔を介して複数設けられ、上記の炉床の下において上記の搬送案内溝に沿って被処理物の搬送方向に走行するカートに、上記の搬送案内溝を通して上方に突出されて昇降する昇降保持部が設けられると共に、この昇降保持部を冷却させる冷却手段が設けられてなる炉内搬送装置であって、カートに設けられた上記の昇降保持部を上昇させて、上記の固定ビームに保持された被処理物をこの昇降保持部に保持させると共に、上記のカートを走行させて昇降保持部に保持された被処理物を固定ビームの所定位置まで搬送させるようにした。
また、本発明に係る第２の炉内搬送装置においては、炉床の上方に被処理物の搬送方向に沿った固定ビームが被処理物の搬送方向と交差する方向に所要間隔を介して複数設けられると共に、上記の炉床を貫通するようにして被処理物の搬送方向に沿って加熱炉の搬入口から搬出口まで伸びた搬送案内溝が被処理物の搬送方向と交差する方向に所要間隔を介して複数設けられ、上記の炉床の下において上記の搬送案内溝に沿って被処理物の搬送方向に走行するカートに、上記の搬送案内溝を通して上方に突出されて昇降する昇降保持部が設けられてなる炉内搬送装置であって、カートに設けられた上記の昇降保持部を上昇させて、上記の固定ビームに保持された被処理物をこの昇降保持部に保持させると共に、上記のカートを走行させて昇降保持部に保持された被処理物を固定ビームの所定位置まで順々に搬送させて、上記のカートにより被処理物を加熱炉の搬入口から搬出口まで搬送させるようにした。
【００１２】
このようにすると、従来のウォーキングビーム式の炉内搬送装置のように、被処理物の搬送方向に沿って炉の略全長に伸びた複数の移動ビームを保持させる移動フレームを被処理物の搬送方向に沿って炉床の下方に設けると共に、この移動フレームを移動させて各移動ビームを上下方向及び送り方向に往復移動させてウォーキング動作させる大型のウォーキングビーム駆動手段を設ける必要がなくなる。
【００１３】
また、上記のように被処理物をカートに設けられた昇降保持部に保持させるため、ウォーキングビーム式の炉内搬送装置のように、炉の略全長に伸びた複数の移動ビームを設ける必要もなくなり、炉内の構造が簡素化される。
【００１４】
ここで、この炉内搬送装置において、カートに設けられた昇降保持部を冷却させる冷却手段を設けると、被処理物を保持する上記の昇降保持部が炉内において過剰に加熱されて、変形したり、損傷したりするのが防止される。
【００１５】
また、上記のようにカートに設けられた昇降保持部を上昇させて、固定ビームに保持された被処理物をこの昇降保持部に保持させ、上記のカートを走行させて昇降保持部に保持された被処理物を固定ビームの所定位置まで搬送させるにあたっては、上記のカートを各搬送案内溝に対応して被処理物の搬送方向と交差する方向に複数設けるようにすることができる。また、被処理物の搬送方向に所要間隔を介して上記のカートを複数設けるようにすることもできる。
【００１６】
そして、本発明に係る加熱炉においては、被処理物を炉内において順々に搬送させて連続的に加熱するにあたり、上記のような炉内搬送装置を用いるようにした。
【００１７】
また、本発明に係る加熱炉においては、被処理物を加熱炉内に搬入させる加熱炉の搬入部側に上記の搬送案内溝と対応するようにして搬入側壁面案内溝を設け、この搬入側壁面案内溝を通して、上記のカートを搬入部側における加熱炉の外部に導くようにすることができる。このようにすると、カートを搬入部側における加熱炉の外部に導いて、カートの補修や交換を行うことができる。
【００１８】
さらに、被処理物を加熱炉内に搬入させる搬入部に上記の搬送案内溝及び搬入側壁面案内溝と対応するようにして搬入用案内溝を設け、この搬入用案内溝を通してカートに設けられた上記の昇降保持部を上昇させて、搬入部における被処理物をこの昇降保持部に保持させ、この搬入用案内溝及び搬入側壁面案内溝を通して上記の昇降保持部に保持された被処理物を加熱炉内に搬入させるようにすることができる。このようにすると、通常は別設備として設置される被処理物の搬入装置が不要になる。
【００１９】
また、本発明に係る加熱炉においては、被処理物を加熱炉外に搬出させる加熱炉の搬出部側に上記の搬送案内溝と対応するようにして搬出側壁面案内溝を設け、この搬出側壁面案内溝を通して、上記のカートを搬出部側における加熱炉の外部に導くようにすることができる。このようにすると、カートを搬出部側における加熱炉の外部に導いて、カートの補修や交換を行うことができる。
【００２０】
さらに、被処理物を加熱炉外に搬出させる搬出部に上記の搬送案内溝及び搬出側壁面案内溝と対応するようにして搬出用案内溝を設け、カートにおける昇降保持部に保持された被処理物を、上記の搬出側壁面案内溝及びこの搬出用案内溝を通して加熱炉外に搬出させるようにすることができる。このようにすると、通常は別設備として設置される被処理物の搬出装置が不要になる。
【発明の効果】
【００２１】
本発明における炉内搬送装置においては、上記のように炉床の下において被処理物の搬送方向に走行するカートに搬送案内溝を通して上方に突出されて昇降する昇降保持部を設け、この昇降保持部を上昇させて、固定ビームに保持された被処理物をこの昇降保持部に保持させると共に、カートを走行させて昇降保持部に保持された被処理物を固定ビームの所定位置まで移動させて、被処理物を炉内において順々に搬送させるようにしたため、従来のウォーキングビーム式の炉内搬送装置のように、炉床の下方に、複数の移動ビームを保持させる移動フレームや、この移動フレームを駆動させて各移動ビームをウォーキング動作させるウォーキングビーム駆動手段のような大型の装置を設ける必要がなくなる。
【００２２】
この結果、本発明における炉内搬送装置を使用すると、加熱炉等における炉床の下の掘り込み深さを小さくすることができ、設備に要するコストが大きく低減されると共にランニングコストも少なくすみ、さらに掘り込んだ床面にはカート用のレールを敷設しただけの構造となるため、広い空間を確保することができ、メンテナンス等も容易に行えるようになる。
【００２３】
また、本発明における炉内搬送装置においては、カートに設けられた昇降保持部に被処理物を保持させた状態で、カートを走行させて昇降保持部に保持された被処理物を固定ビームの所定位置まで搬送させるようにするため、昇降保持部は被処理物を保持できる程度の長さであればよく、従来のウォーキングビーム式の炉内搬送装置における移動ビームのように、被処理物の搬送方向に沿って炉の略全長に伸びるように設ける必要がなくなると共に、このような昇降保持部を冷却させる場合、上記の移動ビームのように大きな水冷設備が必要になったり、水冷ロスが大きくなったりすることもなくなる。
【００２４】
また、本発明における加熱炉において、前記のように搬送案内溝と対応するようにして搬入側壁面案内溝や搬出側壁面案内溝を設けると、この搬入側壁面案内溝や搬出側壁面案内溝を通して上記のカートを加熱炉の外に導くことができるようになり、加熱炉を停止させて冷却させなくても、カートのメンテナンスや交換等が簡単に行えるようになる。
【００２５】
さらに、前記のように被処理物を加熱炉内に搬入させる搬入部や、被処理物を加熱炉外に搬出させる搬出部に、搬入用案内溝や搬出用案内溝を設けると、通常は別設備として設置される被処理物の搬入装置や搬出装置が不要になり、設備が簡略化されて、コストが低減される。
【図面の簡単な説明】
【００２６】
【図１】本発明の実施形態に係る炉内搬送装置を設けた加熱炉の長手方向に沿った概略縦断面説明図である。
【図２】同実施形態に係る炉内搬送装置を設けた加熱炉の幅方向に沿った概略縦断面説明図である。
【図３】同実施形態に係る炉内搬送装置を設けた加熱炉の長手方向に沿った概略横断面説明図である。
【図４】上記の実施形態における加熱炉において、カートに設けられた昇降保持部を上昇させて、固定ビームの上に保持された被処理物をこの昇降保持部の上に保持させた状態を示した部分説明図である。
【図５】上記の実施形態における加熱炉において、被処理物を昇降保持部の上に保持させた状態で、被処理物の搬送方向にカートを所定位置まで移動させた状態を示した部分説明図である。
【図６】上記の実施形態における加熱炉において、所定位置まで移動されたカートにおける昇降保持部を下降させて、被処理物を所定位置における固定ビームの上に保持させた状態を示した部分説明図である。
【図７】上記の実施形態における加熱炉において、カートを被処理物の搬送方向と逆方向に移動させて、カートを次に搬送させる被処理物の位置まで導いた状態を示した部分説明図である。
【図８】上記の実施形態における加熱炉において、炉内搬送装置におけるカートを被処理物の搬送方向に所要間隔を介して２つ設けた加熱炉の長手方向に沿った概略縦断面説明図である。
【図９】上記の実施形態における加熱炉において、炉内搬送装置におけるカートを被処理物の搬送方向に所要間隔を介して３つ設け、加熱処理する前の被処理物を加熱炉に搬入させる搬入部側に、炉床における搬送案内溝と対応するようにして搬入側壁面案内溝及び搬入用案内溝を設けると共に、加熱処理された被処理物を加熱炉から搬出させる搬出部側に、上記の搬送案内溝と対応するようにして搬出側壁面案内溝及び搬出用案内溝を設けた加熱炉の長手方向に沿った概略横断面説明図である。
【図１０】図９に示した実施形態における加熱炉の長手方向に沿った概略縦断面説明図である。
【図１１】上記の実施形態における加熱炉において、炉内搬送装置におけるカートを被処理物の搬送方向に所要間隔を介して３つ設け、加熱処理する前の被処理物を加熱炉に搬入させる搬入部側に、炉床における搬送案内溝と対応するようにして搬入側壁面案内溝を設けると共に、加熱処理された被処理物を加熱炉から搬出させる搬出部側に、上記の搬送案内溝と対応するようにして搬出側壁面案内溝を設けて、カートを加熱炉の外部に導いた状態を示した概略縦断面説明図である。
【発明を実施するための最良の形態】
【００２７】
以下、この発明の実施形態に係る炉内搬送装置及びこの炉内搬送装置を設けた加熱炉を添付図面に基づいて具体的に説明する。なお、この発明に係る炉内搬送装置及び加熱炉は下記の実施形態に示したものに限定されず、発明の要旨を変更しない範囲において、適宜変更して実施できるものである。
【００２８】
この実施形態の加熱炉１０においては、図１〜図３に示すように、その側壁１１に複数の燃焼装置１２を設けると共に、その炉床１３の上に被処理物Ａの搬送方向に所要間隔を介して支持部材１４ａを立設させ、これらの支持部材１４ａの上に被処理物Ａの搬送方向に沿った固定ビーム１４を設けるようにして、このような固定ビーム１４を被処理物Ａの搬送方向と直交する加熱炉１０の幅方向に所要間隔を介して複数設けている。
【００２９】
ここで、この実施形態の加熱炉１０において、被処理物Ａを順々に加熱処理するにあたっては、加熱炉１０の搬入口１５に設けられた搬入扉１５ａを開け、搬入部１における加熱処理する前の被処理物Ａをこの搬入口１５を通して加熱炉１０内に搬入させ、この被処理物Ａを上記の固定ビーム１４の上に保持させるようにする。
【００３０】
次いで、このように固定ビーム１４の上に保持された被処理物Ａを上記の燃焼装置１２により加熱炉１０内において加熱させると共に、固定ビーム１４の上に保持された被処理物Ａを後述する炉内搬送装置２０により上記の固定ビーム１４の上において搬送方向下流側に順々に搬送させて加熱処理する。
【００３１】
そして、この加熱炉１０の搬出口１６に設けられた搬出扉１６ａを開け、上記のように加熱処理された被処理物Ａを、この搬出口１６を通して加熱炉１０外の搬出部２に搬出させるようにする。
【００３２】
ここで、この実施形態の加熱炉１０において、固定ビーム１４の上に保持された被処理物Ａを、炉内搬送装置２０により固定ビーム１４の上において搬送方向下流側に順々に搬送させるにあたっては、加熱炉１０の炉床１３を貫通するようにして被処理物Ａの搬送方向に沿った搬送案内溝１７を、上記の固定ビーム１４と重ならない位置において、被処理物Ａの搬送方向と直交する加熱炉１０の幅方向に所要間隔を介して複数設けている。
【００３３】
また、上記の炉内搬送装置２０においては、上記の炉床１３の下方における床面Ｇ上に、被処理物Ａの搬送方向に沿った案内レール２１を各搬送案内溝１７と対応するようにして複数敷設し、各案内レール２１の上に自走するカート２２を設けると共に、各案内レール２１の上に設けられた各カート２２の上に、それぞれ対応する搬送案内溝１７を通して上方に突出されると共に昇降装置２２ａにより昇降される昇降保持部２２ｂを設けている。
【００３４】
そして、上記の炉内搬送装置２０において、固定ビーム１４の上に保持された被処理物Ａを、固定ビーム１４の上において搬送方向下流側に順々に搬送させるにあたっては、図４に示すように、各カート２２における昇降装置２２ａにより昇降保持部２２ｂを固定ビーム１４よりも上方の位置まで上昇させて、固定ビーム１４の上に保持された被処理物Ａをこの昇降保持部２２ｂの上に保持させるようにする。
【００３５】
次いで、このように被処理物Ａを昇降保持部２２ｂに保持させた状態で、図５に示すように、上記のカート２２を案内レール２１に沿って被処理物Ａの搬送方向に所定位置まで移動させ、昇降保持部２２ｂに保持させた被処理物Ａを固定ビーム１４の所定の位置まで搬送させる。
【００３６】
その後、図６に示すように、被処理物Ａを保持している上記の昇降保持部２２ｂを、上記の昇降装置２２ａによって固定ビーム１４より下方に位置する元の位置まで下降させ、この昇降保持部２２ｂに保持されていた被処理物Ａを元の位置から搬送方向下流側における固定ビーム１４の上に保持させるようにする。
【００３７】
そして、上記のように被処理物Ａを昇降保持部２２ｂから固定ビーム１４の上に保持させた後は、上記のカート２２を案内レール２１に沿って被処理物Ａの搬送方向と逆方向に移動させ、図７に示すように、カート２２を次に搬送させる被処理物Ａの位置まで導くようにする。その後は、上記のような操作を何度も繰り返して、固定ビーム１４の上に保持された各被処理物Ａを、固定ビーム１４の上において搬送方向下流側に順々に搬送させるようにする。
【００３８】
また、この実施形態においては、上記の昇降保持部２２ｂが加熱炉１０内において過剰に加熱されて、変形したり、損傷したりするのを防止するため冷却させるようにしている。例えば、この昇降保持部２２ｂとして、パイプを逆溝型状に折り曲げ加工したものを用い、この昇降保持部２２ｂ内に形成した水路２２ｃにポンプ等の冷却手段２３により冷却水を導き、昇降保持部２２ｂが過剰に加熱されるのを防止するようにしている。
【００３９】
なお、この実施形態においては、案内レール２１の上に自走するカート２２を設けるようにしたが、外部からカート２２を案内レール２１に沿って移動させるようにすることも可能である。
【００４０】
また、この実施形態においては、各案内レール２１の上にそれぞれ上記のようなカート２２を１つ設けるようにしただけであるが、例えば、図８に示すように、各案内レール２１の上にそれぞれ上記のようなカート２２を２つ又はそれ以上設け、各カート２２により、固定ビーム１４の上に保持された被処理物Ａを搬送方向下流側に順々に搬送させて移動させるようにすることもできる。
【００４１】
また、上記のように加熱処理する前の被処理物Ａを加熱炉１０外の搬入部１から加熱炉１０内に搬入させ、またこの加熱炉１０内において加熱処理された被処理物Ａを加熱炉１０内から加熱炉１０外の搬出部２に搬出させるにあたり、上記の炉内搬送装置２０を利用するために、図９及び図１０に示すように、加熱炉１０の搬入側に、上記の搬送案内溝１７と対応するようにして搬入側壁面案内溝１８ａを設けると共に上記の搬入部１に搬入用案内溝１ａを設け、また加熱炉１０の搬出側に、上記の搬送案内溝１７と対応するようにして搬出側壁面案内溝１８ｂを設けると共に上記の搬出部２に搬出用案内溝２ａを設けるようにすることができる。
【００４２】
このようにした場合、上記の搬入部１における加熱処理する前の被処理物Ａを加熱炉１０内に搬入させるにあたっては、上記のカート２２を加熱炉１０から搬入部１の下に導き、このカート２２における昇降保持部２２ｂを搬入部１における搬入用案内溝１ａを通して上昇させて、搬入部１における被処理物Ａをこの昇降保持部２２ｂの上に保持させるようにする。そして、このように被処理物Ａを昇降保持部２２ｂに保持させた状態で、カート２２を搬入部１から加熱炉１０に移動させ、上記の昇降保持部２２ｂに保持された被処理物Ａを搬入用案内溝１ａに沿って搬入部１から上記の搬入口１５及び搬入側壁面案内溝１８ａを通して加熱炉１０内に搬入させる。その後、上記の搬送案内溝１７を通して昇降保持部２２ｂを下降させ、この昇降保持部２２ｂに保持された被処理物Ａを加熱炉１０内に設けられた固定ビーム１４の上に保持させるようにする。
【００４３】
また、加熱炉１０内において加熱処理された被処理物Ａを加熱炉１０内から加熱炉１０外の搬出部２に搬出させるにあたっては、カート２２における昇降保持部２２ｂを上昇させて、加熱炉１０内において加熱処理された被処理物Ａをこの昇降保持部２２ｂに保持させ、この状態で、上記のカート２２を加熱炉１０から搬出部２の下に移動させて、上記の昇降保持部２２ｂを上記の搬送案内溝１７から搬出口１６及び搬出側壁面案内溝１８ｂを通して上記の搬出用案内溝２ａに沿って移動させ、この昇降保持部２２ｂに保持された被処理物Ａを加熱炉１０内から搬出口１６を通して搬出部２に導くようにする。その後、上記の昇降保持部２２ｂを上記の搬出用案内溝２ａを通して下降させ、昇降保持部２２ｂに保持された被処理物Ａを搬出部２に保持させるようにする。
【００４４】
上記のようにすると、加熱処理する前の被処理物Ａを搬入部１から加熱炉１０内に搬入させたり、加熱処理された被処理物Ａを加熱炉１０内から搬出部２に搬出させたりする作業も容易に行えるようになる。
【００４５】
また、上記のように搬送案内溝１７と対応するようにして、加熱炉１０の搬入側に搬入側壁面案内溝１８ａや搬入用案内溝１ａを設け、また加熱炉１０の搬出側に搬出側壁面案内溝１８ｂや搬出用案内溝２ａを設け、カート２２を加熱炉１０の外に導くようにすると、加熱炉１０を停止させて冷却させなくても、カート２２等のメンテナンスや補修が可能になる。さらに、搬入用案内溝１ａや搬出用案内溝２ａを設けた搬入部１や搬出部２は、加熱前後の被処理物Ａから落下するスケールや、放射される熱からカート２２を保護する効果がある。
【００４６】
また、図１１に示すように、搬入用案内溝１ａや搬出用案内溝２ａを設ける搬入部１や搬出部２をなくして開放状態にすることも可能であり、このようにした場合には、カート２２を加熱炉１０の外に取出した時のメンテナンススペースを広くすることができ、カート２２等のメンテナンスや補修や交換がより簡単に行えるようになる。
【符号の説明】
【００４７】
１  搬入部
１ａ  搬入用案内溝
２  搬出部
２ａ  搬出用案内溝
１０  加熱炉
１１  側壁
１２  燃焼装置
１３  炉床
１４  固定ビーム，  １４ａ  支持部材
１５  搬入口，  １５ａ  搬入扉
１６  搬出口，  １６ａ  搬出扉
１７  搬送案内溝
１８ａ  搬入側壁面案内溝，  １８ｂ  搬出側壁面案内溝
２０  炉内搬送装置
２１  案内レール
２２  カート，  ２２ａ  昇降装置，  ２２ｂ  昇降保持部，  ２２ｃ  水路
２３  冷却手段
Ａ  被処理物
Ｇ  床面
【図１】
0005769593.tif 000002
【図２】
0005769593.tif 000003
【図３】
0005769593.tif 000004
【図４】
0005769593.tif 000005
【図５】
0005769593.tif 000006
【図６】
0005769593.tif 000007
【図７】
0005769593.tif 000008
【図８】
0005769593.tif 000009
【図９】
0005769593.tif 000010
【図１０】
0005769593.tif 000011
【図１１】
0005769593.tif 000012